(57)【要約】      （修正有）【課題】片手でも開閉作動することができる締結具を備えたゴルフクラブ用ホルダーを提供する。【解決手段】クラブヘッドを収納するようにホルダー本体１の縦方向に分割されて切開部１１が形成され、切開部を左右に開閉するように回動させるヒンジ軸を持つ開閉作動部が内側に配設され、開閉作動部が広がる方向に力を受けるホルダー本体と、ホルダー本体の開閉作動部の互いに当接する縁部の外側面中間には外方に突出した開閉突条３１が形成され、開閉突条に対応して開閉突条を係合して把持する締結具４の係合突条４１が形成され、開閉突条に着脱可能に係合する締結具を備え、開閉突条と締結具の係合を解除すると、開放する方向に力を受けるホルダー本体の切開部が自動に開放し、クラブヘッドを引出又は収納し、開放した切開部のホルダー本体を閉じ、締結具の係合突条を開閉突条に係合するとホルダー本体が閉じられる。【選択図】図１
2016209536.tif 000002
【特許請求の範囲】
【請求項１】
縦方向に分割形成されて開閉可能に形成された切開部１１が形成され、内部に左右に開閉する開閉作動部２が取り付けられ、切開部１１が広がる方向に力を受けるホルダー本体１を含む、締結具を備えたゴルフクラブ用ホルダーＡであって、
前記ホルダー本体１の切開部１１の互いに当接する縁部の内部に配置され、中間に外方に突出するように露出した開閉突条３１が形成された一対の形状フレーム３と、
前記形状フレーム３の前記一対の開閉突条３１を係合して固定する一対の離隔した係合突条４１が形成され、前記一対の開閉突条３１に着脱可能に固定された締結具４とを含むことを特徴とする、締結具を備えたゴルフクラブ用ホルダー。
【請求項２】
前記ホルダー本体１の前記切開部１１の上部には、前記切開部１１の開閉作動によって動きながら前記ホルダー本体１の内部を保護するホルダー上部カバー１２が取り付けられたことを特徴とする、請求項１に記載の締結具を備えたゴルフクラブ用ホルダー。
【請求項３】
前記ホルダー上部カバー１２の下部にはカバー磁石１３が取り付けられ、前記カバー磁石１３は前記形状フレーム３の上部に固定された上部磁石３３に対応して作動することを特徴とする、請求項２に記載の締結具を備えたゴルフクラブ用ホルダー。
【請求項４】
前記開閉突条３１上には固定磁石３２がそれぞれの開閉突条３１ごとに固定され、前記締結具４の対応固定磁石４２も前記それぞれの開閉突条３１に対応して取り付けられたことを特徴とする、請求項１に記載の締結具を備えたゴルフクラブ用ホルダー。
【請求項５】
前記締結具４は、内側には一対の離隔した係合突条４１が形成され、前記一対の係合突条４１の間の内側面４０には前記固定磁石３２に対応する位置に対応固定磁石４２が固定され、前記締結具４の外側には前記係合突条４１から外側に伸びた延長屈曲部４３が形成されたことを特徴とする、請求項１に記載の締結具を備えたゴルフクラブ用ホルダー。
【請求項６】
前記締結具４の一対の係合突条４１の一方の係合突条４１は他方の係合突条４１より長く突出する支柱用係合突条４１ｂであることを特徴とする、請求項１に記載の締結具を備えたゴルフクラブ用ホルダー。
【請求項７】
前記一対の形状フレーム３の一方の形状フレーム３の開閉突条３１の外側には、前記支柱用係合突条４１ｂの端部が挿入される挿入溝３１ｂが形成され、前記締結具４の支柱用係合突条４１ｂが前記挿入溝３１ｂに挿入固定されたことを特徴とする、請求項１又は６に記載の締結具を備えたゴルフクラブ用ホルダー。
【請求項８】
前記開閉突条３１が形成された一対の形状フレーム３は、前記開閉作動部２とは別に形成され、或いは前記開閉作動部２の開閉羽の縁部に着脱可能に付着され、或いは前記開閉作動部２の開閉羽の縁部に一体に形成され、前記開閉突条３１が開閉羽に一体に形成されたことを特徴とする、請求項１に記載の締結具を備えたゴルフクラブ用ホルダー。
【請求項９】
縦方向に分割形成されて開閉可能に形成された切開部１１’が形成され、前記切開部１１’が左右に開閉するように作動させる開閉作動部が内側に配置され、前記開閉作動部がヒンジ軸を中心に広がって開放する方向に力を受けるホルダー本体１’を含む、締結具を備えたゴルフクラブ用ホルダーＡ’であって、
前記ホルダー本体１’の切開部１１’の互いに接する縁部に配置され、中間に外方に突出した開閉突条３１’が形成された一対の形状フレーム３’と、
前記形状フレーム３’の開閉突条３１’に対応する係合突条４１’が形成されて前記開閉突条３１’を係合して把持し、前記形状フレーム３’の開閉突条３１’に沿って上下にスライドして前記ホルダー本体１’を開閉可能にする締結具４’とを含むことを特徴とする、締結具を備えたゴルフクラブ用ホルダー。
【請求項１０】
前記一対の形状フレーム３’の一方の形状フレーム３’は、中間に外方に突出した開閉突条３１’が形成され、前記開閉突条３１’の外側には、締結具４’の一方の係合突条４１’が挿入される挿入溝３１ｂ’が形成され、前記一対の形状フレーム３’の他方の形状フレーム３’の開閉突条３１’は上部開閉突条３１１’と下部開閉突条３１２’に分割され、前記上部開閉突条と下部開閉突条の間に離隔空間Ｓ１が形成され、
前記締結具４’は、前記開閉突条３１’と当接する内側に開閉突条３１’を把持するように両側に係合突条４１’、４１’が形成され、
前記締結具４’の係合突条４１’、４１’の一方の係合突条４１’は他方の係合突条４１’より長く形成されて形状フレーム３’の挿入溝３１ｂ’に挿入され、前記締結具４’が上下にスライド可能になり、他方の係合突条４１’は形状フレーム３’の他方の分割された上部開閉突条３１１’及び下部開閉突条３１２’と当接して前記上部開閉突条３１１’及び下部開閉突条３１２’を把持するように対応して分割された上部係合突条４１１’及び下部係合突条４１２’が形成され、その間には離隔空間Ｓ２が形成されたことを特徴とする、請求項９に記載の締結具を備えたゴルフクラブ用ホルダー。
【請求項１１】
前記一対の形状フレーム３’の前記開閉突条３１’上に固定磁石３２’が付着され、前記締結具４’の前記係合突条４１’の内側には、開閉突条３１’の固定磁石３２’に対応する対応固定磁石４２’が固定されていることを特徴とする、請求項９又は１０に記載の締結具を備えたゴルフクラブ用ホルダー。
【請求項１２】
前記締結具４の内側縁部とホルダー本体１の切開部１１に近接した外表面上にはそれぞれベルクロテープが付着されることにより、締結具４がホルダー本体１から離脱しないように着脱可能に固定されることを特徴とする、請求項１又は４に記載の締結具を備えたゴルフクラブ用ホルダー。
【発明の詳細な説明】
【技術分野】
【０００１】
本発明は締結具を備えたゴルフクラブ用ホルダーに係り、より詳しくはクラブヘッドを収納するホルダーの開閉作動する開閉部の縁部の中間に外方に突出した開閉突条が形成され、前記開閉突条に対応する少なくとも一側に係合突条が形成され、前記ホルダー本体の開閉突条に着脱可能に係合してホルダー本体を開閉可能にする締結具を備え、開閉突条から締結具が離脱するとホルダー本体が開放し、締結具が開閉突条に係合するとホルダー本体が閉じられた状態でロックされるので、ホルダー本体の開閉が非常に便利になり、構造も簡単になる締結具を備えたゴルフクラブ用ホルダーに関する。
【背景技術】
【０００２】
一般に、ゴルフクラブ用保護カバーは多様な形状のものが提案されている。図１０に示したように、このようなゴルフクラブ用保護カバーは布地から製造されてゴルフクラブＧのヘッドに結合されるものが大部分である。このような保護カバーＨの一例は、ゴルフクラブＧのヘッドＧ２とシャフトＧ１の上部を一緒に取り囲むように袋状に成形され、ゴルフクラブのヘッドＧ２及びシャフトＧ１の挿入が容易になるように長手方向に切開され、この切開部にスライドファスナーＺが付着された構成になったもので、保護カバーＨに付着されたスライドファスナーＺを開いた後、ゴルフクラブＧを挿入してからスライドファスナーＺを閉じることで、ゴルフクラブのヘッドＧ２及びシャフトＧ１の上部を保護することができる構造であるが、このような保護カバーＨの大部分は使用時ごとに両手でスライドファスナーＺを開いてから閉じなければならない煩わしくて不便な問題点がある。
【０００３】
このような問題点を解決するために、本出願人が出願した特許文献１の“ゴルフクラブ保護用開閉ホルダー”には、一対の開閉板からなった本体部の前記一側開閉板の一端にはフック状の係止部が形成され、他側開閉板の他端部には係止段が形成され、前記係止部と係止段との係合によってゴルフクラブ保護用開閉ホルダーを開閉させる方式が提案されたが、前記開閉板の一端部に形成されたフック状の係止部が開閉ホルダーの内側に配置されて収納されるクラブシャフトの外表面と接触して前記クラブシャフトの外表面を損傷させる、もしくは損傷させるおそれが高くなるため、市場性に欠ける問題点があった。
【先行技術文献】
【特許文献】
【０００４】
【特許文献１】韓国登録特許第１０−１３６９５３０号公報
【発明の概要】
【発明が解決しようとする課題】
【０００５】
本発明はこのような問題点を解決するためになされたもので、クラブヘッドを収納するホルダー本体の開閉作動をする開閉部の両側縁部に長手方向に延設され、一対の開閉突条が形成され、前記開閉突条に対応する少なくとも一側に係合突条が形成され、前記ホルダー本体の開閉突条に着脱可能に係合する締結具を備え、締結具と開閉突条の係合を解除すると、広がる方向に力を受けるホルダー本体の開閉作動部が開放し、クラブヘッドを引出又は収納してからホルダー本体を閉じ、締結具の係合突条が開閉突条に係合することによってホルダー本体が閉じられるので、片手でもホルダー本体を非常に便利に開閉作動することができ、構造も簡単になる締結具を備えたゴルフクラブ用ホルダーを提供することである。
【課題を解決するための手段】
【０００６】
本発明のこのような目的は、ゴルフクラブのクラブヘッドを収納するようにホルダー本体の縦方向に分割されるように切開部が形成され、前記切開部がヒンジ軸を中心に左右に開閉するように回動させるヒンジ軸を持つ開閉作動部が内側に配設され、前記開閉作動部が広がる方向に力を受けるホルダー本体と、前記ホルダー本体の開閉部の互いに当接する縁部の前面の中間部に外方に突出した開閉突条が形成され、前記開閉突条に対応して前記開閉突条を係合して把持する締結具の係合突条が形成され、前記開閉突条に着脱可能に係合する締結具を備えたゴルフクラブ用ホルダーによって達成される。
【発明の効果】
【０００７】
本発明による締結具を備えたゴルフクラブ用ホルダーは、ゴルフクラブのクラブヘッドを収納するようにホルダー本体の縦方向に分割されて切開部が形成され、前記切開部を左右に開閉するように回動させるヒンジ軸を持つ開閉作動部が内側に配設され、前記開閉作動部が広がる方向に力を受けるホルダー本体と、前記ホルダー本体の開閉作動部の互いに当接する縁部の外側面中間には外方に突出した開閉突条が形成され、前記開閉突条に対応して前記開閉突条を係合して把持する締結具の係合突条が形成され、前記開閉突条に着脱可能に係合する締結具を備え、前記開閉突条と締結具の係合を解除すると、開閉突条に係合された締結具の係合突条が前記開閉突条から離脱するとき、広がる方向に力を受けるホルダー本体の切開部が自動に開放し、クラブヘッドを引出又は収納し、開放した切開部のホルダー本体を閉じ、締結具の係合突条を開閉突条に係合するとホルダー本体が閉じられるので、片手でも作動可能な締結具の係合及び解除の作動によってホルダー本体が非常に便利に開閉され、構造も簡単になる優れた効果がある。
【図面の簡単な説明】
【０００８】
【図１】本発明の第１実施例による締結具を備えたゴルフクラブ用ホルダーの斜視図である。
【図２ａ】図１の締結具を備えたゴルフクラブ用ホルダーのロック状態の斜視図である。
【図２ｂ】図１の締結具を備えたゴルフクラブ用ホルダーの開放状態の斜視図である。
【図３ａ】図１のＩ−Ｉ線に沿って取った概略的な閉鎖状態の縦断面図である。
【図３ｂ】図１のＩ−Ｉ線に沿って取った概略的な開放状態の縦断面図である。
【図４】本発明の第１実施例による開閉突条が形成された形状フレームの斜視図である。
【図５ａ】互いに上下にずれて配置された形状フレームを矯正する締結具の作動図である。
【図５ｂ】互いに左右に広がって配置された形状フレームを矯正する締結具の作動図である。
【図６ａ】図１の締結具を備えたゴルフクラブ用ホルダーのロック作動と開放作動を説明する図である。
【図６ｂ】図１の締結具を備えたゴルフクラブ用ホルダーのロック作動と開放作動を説明する図である。
【図６ｃ】図１の締結具を備えたゴルフクラブ用ホルダーのロック作動と開放作動を説明する図である。
【図７】本発明の第２実施例による締結具を備えたゴルフクラブ用ホルダーの斜視図である。
【図８】本発明の第２実施例による開閉突条が形成された形状フレームの斜視図である。
【図９ａ】本発明の第２実施例による締結具の作動前を示した概略正面図である。
【図９ｂ】本発明の第２実施例による締結具の作動後を示した概略正面図である。
【図１０】従来のゴルフクラブ用ホルダーの斜視図である。
【発明を実施するための形態】
【０００９】
本発明の第１実施例による締結具を備えたゴルフクラブ用ホルダーＡは、図１〜図６に示したように、ゴルフクラブのクラブヘッドＨを収納するように縦方向に分割形成されて開閉可能になった切開部１１が形成され、前記切開部１１を左右に開閉させるように作動させる開閉作動部２が内側に配設され、前記開閉作動部２がヒンジ軸を中心に開放する方向に力を受けるホルダー本体１と、前記ホルダー本体１の切開部１１の互いに当接する縁部に配置され、中間に外方に突出した開閉突条３１が形成された形状フレーム３と、前記形状フレーム３の開閉突条３１に対応する締結具４の係合突条４１が形成され、前記開閉突条３１に着脱可能に係合して前記開閉突条３１を把持して固定する締結具４とを含んでなる。
【００１０】
前記ホルダー本体１は、一般的なゴルフクラブのヘッドＨを収納するように縦方向に分割された切開部１１が形成されることにより、前記ホルダー本体１の切開部１１が開閉してゴルフクラブのヘッドＨが収納又は引出できるようにする。前記ホルダー本体１の前記切開部１１の上部には、前記切開部１１の開閉作動によって動きながら前記ホルダー本体１の内面を保護するホルダー上部カバー１２が取り付けられている。前記ホルダー上部カバー１２は、ホルダー本体１の切開部１１が開かれてもホルダー上部カバー１２の下端部１２ａが切開部１１の上部を覆いながらホルダー上部カバー１２の内部を保護することになり、ホルダー本体１の内側を遮ってホルダー本体１をきれいに保護することで、高い商品性を維持することができる。
【００１１】
前記ホルダー上部カバー１２の下部にはカバー磁石１３が設けられ、前記形状フレーム３の上部に固定された上部磁石３３と対応して作用する。前記開閉突条３１の外側のホルダー本体１の外表面上にはベルクロテープ１４が付着され、前記開閉突条３１を把持固定する締結具４の内側に付着されたベルクロテープ４５と互いに作用して締結具４をホルダー本体１上に着脱可能に固定させる。
【００１２】
前記ホルダー本体１の内部には、前記切開部１１がいつも開放する方向に弾支力を加える開閉作動部２が取り付けられている。このような開閉作動部２は、図３ａ及び図３ｂに概略的に示されている。このような開閉作動部２の一実施例の構造は本出願人の特許文献１に詳細に開示されているので、本発明では開閉作動部２についての詳細な説明は省略しても構わないであろう。
【００１３】
前記形状フレーム３は、前記切開部１１の内側の縁部に沿って縦方向に固定され、前記切開部１１の断面に合うように形成されている。前記形状フレーム３はホルダー本体１に収納されるクラブヘッドＨの形状に合うように多様な形状に形成でき、図４にその一実施例が示されている。この実施例においては、前記開閉突条３１が形成された前記形状フレーム３が便宜上前記開閉作動部２とは別の構成要素として記述されているが、これに限定されなくて開閉作動部２の開閉羽の縁部に着脱可能に付着されるとか開閉羽の縁部に開閉突条が一体に形成されることもできる。
【００１４】
前記形状フレーム３は、図４に示したように、中間に外方に突出した開閉突条３１が形成され、前記開閉突条３１上に固定磁石３２が付着されている。
【００１５】
この実施例において、前記形状フレーム３の固定磁石３２は、着脱される締結具４に対応固定磁石４２を付着させることにより、締結具４を一定の位置に位置させる機能をする。また、前記形状フレーム３の開閉突条３１上に固定された固定磁石３２がそれぞれの開閉突条３１に一定の間隔で離隔するように二つが配置されて、全て四つの固定磁石３２が付着されているので、図５ａ及び図５ｂに示したように、対応する締結具４の四つの対応固定磁石４２と作用することにより、ねじれて配置された一対の形状フレーム３の形状を平行に矯正する機能をする。すなわち、磁石の力強い引力である磁着力を用いることにより、磁石がない場合に切開部１１の内側縁部に固定されて切開部１１の縁部を成す二つの隣接した形状フレーム３がねじれてずれるとか隣接した形状フレーム３の一側が広がるとかする問題点などを解決したものである。本発明において、形状フレーム３のそれぞれの開閉突条３１上に二つが配置されて二つの形状フレーム３上に四つの固定磁石３２が固定され、締結具４の一対の係合突条４１の間の内側面４０上に前記固定磁石３２に対応する位置に対応固定磁石４２が固定されているので、隣り合う形状フレーム３が広がるとかねじれていても、締結具４の内側面４０上の対応固定磁石４２に各形状フレーム３の固定磁石３２が力強く同一面上で付着されるので、隣り合う磁石の力強い引力によって形状フレーム３も同一面上に配置されることにより、ねじれてずれるとか或いは隣り合う形状フレーム３の一側が広がることも自然に矯正されて同一面上にきちんと整列される。この実施例においては、それぞれの開閉突条３１上に二つの固定磁石３２が取り付けられたが、一つが取り付けられても構わない。
【００１６】
前記形状フレーム３の上部には上部磁石３３が固定されているので、切開部１１が閉じられると、ホルダー本体１のカバー磁石１３が上部磁石３３に付着してホルダー本体１のホルダー上部カバー１２を固定させる。
【００１７】
前記形状フレーム３の開閉突条３１の内側の上部角部３１ｃは丸く形成されることにより、開閉突条３１が円滑に締結具４の係合突条４１から分離されるとか締結具４の内部に円滑に係合して締結具４との着脱を容易に成すことができる。
【００１８】
前記締結具４は、前記一対の形状フレーム３の開閉突条３１の幅（Ｗ１）より少し大きな幅（Ｗ２）を持つように一対の係合突条４１が形成され、前記それぞれの係合突条４１の内側面には前記固定磁石３２に対応する位置に固定磁石４２が付着されることで、相互間の引力で堅固に着脱可能になる。
【００１９】
前記締結具４は、前記開閉突条３１と隣接する内側に、前記係合突条４１及び対応固定磁石４２が固定され、外側には前記係合突条４１から外側に長く伸びた延長屈曲部４３が形成されている。
【００２０】
前記締結具４の内側に形成された一対の係合突条４１、４１の一方の係合突条は他方より長く形成された支柱用係合突条４１ｂとして形成され、前記支柱用係合突条４１ｂと接触する形状フレーム３の両開閉突条３１の外側には前記支柱用係合突条４１ｂの端部が挿入される挿入溝３１ｂが形成されている。前記締結具４の支柱用係合突条４１ｂが前記挿入溝３１ｂに挿入されて固定されると、前記締結具４は挿入溝３１ｂに挿入された支柱用係合突条４１ｂを支点としてテコの原理によって一側が容易に上げられ、また締結具４が固定されることによって上下移動や左右移動が防止され、締結具４が形状フレーム３に容易に固定されるようにする役目をする（言い換えれば、ホルダー本体１への固定が容易になる）。また、締結具４の他の短い延長屈曲部４３ｂの端部を持ち上げる方式でも前記ホルダー本体１を開放させることができる。そして、図６ｃに示したように、締結具４の長く伸びた延長屈曲部４３が反対側に付着された場合には、他側で締結具４の長い延長屈曲部４３を押し込む力でホルダー本体１を開放させるとか或いは締結具４の短い延長屈曲部４３ｂを持ち上げてホルダー本体１を開放させることもできる。
【００２１】
前記係合突条４１の外側角４１ｃは丸く形成されているので、前記形状フレーム３の開閉突条３１の上部角部３１ｃと対応してホルダー本体１を容易に閉鎖させることができる。
【００２２】
この実施例において、前記締結具４の対応固定磁石４２も四つが付着されているので、形状フレーム３上に付着された固定磁石３２との力強い引力によって、一対の形状フレーム３がずれたり広がったりという状態不良を矯正することができる。
【００２３】
図５ａに示したように、一対の形状フレーム３が、二点鎖線で示したように、互いに同一面上に配置されないで上下にずれて配置されていると言っても、締結具４の各対応固定磁石４２は同一面上に配置されているので、ずれて配置されている形状フレーム３の開閉突条３１に固定された固定磁石３２を対応固定磁石４２側に引き寄せて対応固定磁石４２と同一面上に固定させるので、互いに上下にずれて配置されている形状フレーム３の誤った配置を矯正することができる。一方、図５ｂに二点鎖線で示したように、互いに広がった一対の形状フレーム３も前記締結具４の対応固定磁石４２によって、広がった状態が平行に矯正される。
【００２４】
このような構成を持つ本発明による締結具を備えたゴルフクラブ用ホルダーＡの作動を以下に詳細に説明する。
【００２５】
ホルダー本体１内にクラブヘッドＨが収納されて閉鎖され、さらに締結具４で閉鎖されている状態（図２ａに図示）で、前記締結具４の支柱用係合突条４１ｂが挿入溝３１ａに挿支された状態で延長屈曲部４３を押し込むと、延長屈曲部４３が押し込まれてホルダー本体１の外表面に接するとともに互いに付着されていた固定磁石３２と対応固定磁石４２が分離され、反対側の延長屈曲部４３はもっと高く上げられる。よって、付着されていた固定磁石３２と対応固定磁石４２も分離されるとともに前記他側の延長屈曲部４３と一体に形成された係合突条４１も上げられ、係合突条４１の端部が噛み合って保持していた開閉突条３１の上端部を通ると、ホルダー本体１の内部に取り付けられて開放方向に力を加える開閉作動部２によってホルダー本体１の切開部１１が開放される（図２ｂ、図３ｂ及び図６ｂに図示）。
【００２６】
従って、ホルダー本体１内に収納されたクラブヘッドＨを引き出し、ホルダー本体１をさらに閉じようとする場合は、ホルダー本体１を握って力を加えると、開放状態の互いに広がった切開部１１が互いに接する方向に移動する。このような移動によって突出係合突条３１の丸く形成された上部角部３１ａが前記締結具４の係合突条４１の丸く形成された外側角部４１ａと接触したままでスムーズに前記締結具４の一側係合突条４１を押し上げる。このように、一側係合突条４１が押し上げられた締結具４の下面を突出係合突条３１が通るに従って、前記突出係合突条３１に固定された固定磁石３２と前記係合突条４１に固定された対応固定磁石４２が磁力によって締結具４が回動しようとし、移動状態の突出係合突条３１が他の突出係合突条３１に近付けば、締結具４の回動が終了し、係合突条４１が前記突出係合突条３１と係合して把持する状態になることにより、ホルダー本体１が確かに閉鎖される。
【００２７】
以上のように、本発明の第１実施例による締結具を備えたゴルフクラブ用ホルダーは、中間に外方に突出した開閉突条が形成された形状フレームと、前記形状フレームの前記開閉突条に対応する係合突条が設けられ、前記開閉突条を係合して固定する締結具とを含み、締結具の係合及び解除によってゴルフクラブ用ホルダーを開閉可能にするもので、前記開閉突条と締結具の係合突条の係合を解除すれば、開閉突条に固定された係合突条が前記開閉突条から離脱するとき、開放方向に力を受けるホルダー本体の開口部が自動に開放した状態でクラブヘッドを引き出すとか収納してから開放した開口部のホルダーを閉じて締結具の係合突条を開閉突条に係合させてホルダーを閉じる方式で、片手でもゴルフクラブ用ホルダーを開閉することができるので、ゴルフクラブ用ホルダーの開閉作動が非常に便利になり、構造も簡単になるものである。
【００２８】
本発明の第２実施例による締結具を備えたゴルフクラブ用ホルダーＡ’は、締結具４’を一層便利に作動させることができるように押して作動させる方法が適用されたものである。
【００２９】
本発明の第２実施例による締結具を備えたゴルフクラブ用ホルダーＡ’は、図７〜図９ｂに示したように、ゴルフクラブのクラブヘッドを収納するように縦方向に分割形成されて開閉可能に形成された切開部１１’が形成され、前記切開部１１’が左右に開閉するように作動させる開閉作動部が内側に配設され、前記開閉作動部（第１実施例と同一であるので図示しない）がヒンジ軸を中心に開放される方向に力を受けるホルダー本体１’と、前記ホルダー本体１’の切開部１１’の互いに当接する縁部に配置され、中間に外方に突出した開閉突条３１’が形成された一対の形状フレーム３’と、前記形状フレーム３’の開閉突条３１’に対応する係合突条４１’が形成され、この係合突条４１’が前記開閉突条３１’と係合して前記開閉突条３１’を把持し、上下にスライドして着脱可能に固定させる締結具４’とを含む。
【００３０】
前記一対の形状フレーム３’の一方は、図８に示したように、中間に外方に突出した開閉突条３１’が形成され、前記開閉突条３１’上に固定磁石３２’が付着され、前記一方の開閉突条３１’の外側には締結具４’の一係合突条４１’が挿入される挿入溝３１ｂ’が形成されている。前記挿入溝３１ｂ’の長さは締結具４’が必要以上に押し付けられないように締結具４’が移動可能な限界地点を設定するストッパーの機能をするように前記挿入溝３１ｂ’の長さが適宜調整されている。
【００３１】
前記一対の形状フレーム３’の他方の開閉突条３１’は、上部開閉突条３１１’と下部開閉突条３１２’に分割され、前記上部開閉突条と下部開閉突条の間に離隔空間Ｓ１が形成されている。
【００３２】
前記締結具４’は、前記開閉突条３１’と接触する内面両側に開閉突条３１’を把持するように係合突条４１’、４１’が形成され、前記係合突条４１’の内側には開閉突条３１’の固定磁石３２’と対応する対応固定磁石４２’が固定されている。
【００３３】
前記締結具４’の係合突条４１’、４１’の一方は他方の係合突条４１’より長く形成され、形状フレーム３’の挿入溝３１ｂ’に挿入されることによって前記締結具４’が上下にスライド可能になり、他方の係合突条４１’は形状フレーム３’の他方の分割された上部開閉突条３１１’及び下部開閉突条３１２’と当接して前記上部開閉突条３１１’及び下部開閉突条３１２’を把持するように対応して分割された上部係合突条４１１’及び下部係合突条４１２’が形成され、その間には離隔空間Ｓ２が形成されている。
【００３４】
前記締結具４’は前記挿入溝３１ｂ’に沿って上下にスライド可能になり、磁力が解除された状態でも離脱が防止され、ホルダー本体１’に形成された案内部５’が挿入される案内部挿入溝部４４’が側面に形成されることにより、前記案内部５’は、締結具４’の上下方へのスライド移動時、締結具４’の離脱を防止する。
【００３５】
以上のように、本発明の第２実施例による締結具を備えたゴルフクラブ用ホルダーＡ’は、形状フレーム３’の開閉突条３１’を把持している締結具４’を上方に押し上げてスライドさせると、磁石の磁力が部分的に解除されるとともに形状フレーム３’の上下部開閉突条３１１’、３１２’を把持していた締結具４’の他方の上下部係合突条４１１’、４１２’の中で下部係合突条４１２’が上部開閉突条３１１’と下部開閉突条３１２’の間の離隔空間Ｓ１に配置され、上部開閉突条３１１’が離隔空間Ｓ２の間に移動するときにゴルフクラブ用ホルダーＡのロック固定が解除され、ホルダー本体１’の開閉作動部が広がる方向に力を受けてホルダー本体１’が自動に開放することにより、クラブヘッドの引出や収納が可能になる。そして、開放したホルダー本体１’を閉じると、締結具４’の磁石４２’と開閉突条３１’の磁石３２’の配列によって前記磁石３２’、４２’の相互間の引力及び反発力によって自動に締結具４’にかかり、締結具４’の上下部係合突条４１１’、４１２’が形状フレーム３’の上下部開閉突条３１１’、３１２’と接触固定されてホルダー本体１’が閉じられた状態で固定されるので、ゴルフクラブ用ホルダーの開閉作動が非常に便利になり、構造も簡単になるものである。
【００３６】
前記第２実施例においては、挿入溝に沿ってスライドしながらホルダー本体を開閉作動させる方式として記載されているが、これに限定されるものではない。
【００３７】
以上のように、本発明による締結具を備えたゴルフクラブ用ホルダーは、締結具と開閉突条がその機能を果たすことができるのは、開閉突条と前記開閉突条を把持する係合突条が形成された締結具によってなされるとともに前記開閉突条と締結具に取り付けられた磁石が互いに引き寄せているからである。すなわち、本発明による締結具を備えたゴルフクラブ用ホルダーは、締結具と前記締結具に係合する開閉突条がホルダー本体の外部に配置されるので（つまり、ホルダー本体の内部にはロック装置がないので）、ホルダー本体のサイズが小さくなり、ゴルフクラブのシャフトが損傷されることが防止され、製造が容易になる効果があるものである。
【産業上の利用可能性】
【００３８】
本発明による締結具を備えたゴルフクラブ用ホルダーは、一般的なゴルフクラブホルダーの製造産業で同一製品を反復的に製造することができると言えるので、産業上利用可能性がある発明である。
【符号の説明】
【００３９】
１    ホルダー本体
２    開閉作動部
３    形状フレーム    
４    締結具
１１    切開部
１２    ホルダー上部カバー
１３    カバー磁石
３１    開閉突条
３１ｂ    挿入溝
３２    固定磁石
４１    係合突条
４１ｂ    支柱用係合突条
４２    対応固定磁石
４３    延長屈曲部
４５    ベルクロテープ
Ａ    ゴルフクラブ用ホルダー
Ｈ    クラブヘッド
【図１】
2016209536.tif 000003
【図２ａ】
2016209536.tif 000004
【図２ｂ】
2016209536.tif 000005
【図３ａ】
2016209536.tif 000006
【図３ｂ】
2016209536.tif 000007
【図４】
2016209536.tif 000008
【図５ａ】
2016209536.tif 000009
【図５ｂ】
2016209536.tif 000010
【図６ａ】
2016209536.tif 000011
【図６ｂ】
2016209536.tif 000012
【図６ｃ】
2016209536.tif 000013
【図７】
2016209536.tif 000014
【図８】
2016209536.tif 000015
【図９ａ】
2016209536.tif 000016
【図９ｂ】
2016209536.tif 000017
【図１０】
2016209536.tif 000018